【事件の表示】
　特許第２５４３４６９号「陸屋根構造」の請求項１ないし２に係る特許に対する特許異議の申立てについて、次のとおり決定する。
【結　論】
　訂正を認める。
　特許第２５４３４６９号の請求項１に係る特許を維持する。
【理　由】
１．手続きの経緯
　本件特許第２５４３４６９号に係る発明は、平成４年１２月１日に出願され、平成８年７月２５日に特許の設定登録がされ、その後、平成９年４月１４日に鐘淵化学工業株式会社より、特許異議の申立てがなされ、次いで、取消理由通知がなされ、その指定期間内である平成１０年１１月２日に訂正請求がなされたものである。
　　　
２．訂正請求について
２−１．請求の趣旨及び訂正事項
　訂正請求の趣旨は、特許第２５４３４６９号の明細書を訂正請求書に添付した訂正明細書のとおり訂正することを求めるものであり、その訂正事項は、以下訂正事項ａ〜訂正事項ｅのとおりのものである。
　　　
（なお、本決定においては、本件訂正明細書中で用いられている、偏が「身」で、旁が「區」からなる文字を、偏が「身」で、旁が「区」からなる「躯」という略字で代用する。）    　　　　　
　　　
　訂正事項ａ
　特許明細書の特許請求の範囲の請求項１を、
「所定の厚みを有するフラットパネルと、一側から他側に向けて傾斜した断面を持つ複数種の傾斜パネルとを組み合わせて屋根躯体上に敷き並べ
ることにより水勾配を取り、水をドレーンに向けて案内する陸屋根構造において、
　複数種の傾斜パネルは、
　傾斜上端面からこれに対向する傾斜下端面に向けて下方傾斜する平面が矩形状の第１の矩形傾斜パネル（１７）と、
　第１の矩形傾斜パネルの傾斜下端面とほぼ同じ厚みを有する一辺を傾斜上端面とし、この傾斜上端面からこれに対向する傾斜下端面に向けて下方傾斜する平面が矩形状の第２の矩形傾斜パネル（１６）と、
　第１の矩形傾斜パネルの傾斜上端面の左側角部から長手方向所定寸法部位と傾斜下端面の左側角部とを結ぶ線に沿って切断して得られ、傾斜上端面からこれに対向する傾斜下端頂点に向けて下方傾斜する平面が直角二等辺三角形をなす第１の三角傾斜パネル（２０）と、
　第１の矩形傾斜パネルの傾斜上端面の右側角部から長手方向所定寸法部位と傾斜下端面の右側角部とを結ぶ線に沿って切断して得られ、傾斜上端面からこれに対向する傾斜下端頂点に向けて下方傾斜する平面が直角二等辺三角形をなす第２の三角傾斜パネル（２１）と、
　第２の矩形傾斜パネルの傾斜上端面の右側角部から長手方向所定寸法部位と傾斜下端面の右側角部とを結ぶ線に沿って切断して得られ、傾斜上端面からこれに対向する傾斜下端頂点に向けて下方傾斜する平面が直角二等辺三角形をなす第３の三角傾斜パネル（１８）と、
　第２の矩形傾斜パネルの傾斜上端面の左側角部から長手方向所定寸法部位と傾斜下端面の左側角部とを結ぶ線に沿って切断して得られ、傾斜上端面からこれに対向する傾斜下端頂点に向けて下方傾斜する平面が直角二等辺三角形をなす第４の三角傾斜パネル（１９）と、
　第１の矩形傾斜パネルの傾斜下端面の左側角部から長手方向所定寸法部位と傾斜上端面の左側角部とを結ぶ線により画成される直角二等辺三角形部分を切り落として得られ長辺の傾斜上端面からこれに対向する短辺の傾斜下端面に向けて下方傾斜する平面が台形状の第１の台形傾斜パネル（２２）と、
　第１の矩形傾斜パネルの傾斜下端面の右側角部から長手方向所定寸法部位と傾斜上端面の右側角部とを結ぶ線により画成される直角二等辺三角形部分を切り落として得られ長辺の傾斜上端面からこれに対向する短辺の傾斜下端面に向けて下方傾斜する平面が台形状の第２の台形傾斜パネル（２３）とを含み、
　第１の台形傾斜パネル（２２）の傾斜下端面に第３の三角傾斜パネルの傾斜上端面を合致させて平面がより大きな直角二等辺三角形の一方の大寸法三角傾斜パネルを形成可能とし、
　第２の台形傾斜パネル（２３）の傾斜下端面に第４の三角傾斜パネルの傾斜上端面を合致させて平面がより大きな直角二等辺三角形の他方の大寸法三角傾斜パネルを形成可能とし、
　また、前記一方の大寸法三角傾斜パネルと他方の大寸法三角傾斜パネルの双方の三角形斜辺を合致させてＶ字形の下り傾斜面を形成可能とし、
　さらに、前記一方の大寸法三角傾斜パネルと他方の大寸法三角傾斜パネルの双方の対応する三角形等辺を合致させて補助水分線を形成可能とし、
　これらを組み合わせることにより、陸屋根の表面を一または複数の地点に向かう連続した下り傾斜面として形成するとともに、その傾斜面の傾斜が到達する位置にドレーンを配設したことを特徴とする陸屋根構造。」と訂正する。
　　　　　　　
　訂正事項ｂ
　特許明細書の特許請求の範囲の請求項２を削除する。
　　　
　訂正事項ｃ
　特許明細書の段落番号【００１３】の「【課題を解決するための手段】〜形成したものである。」を、
「【課題を解決するための手段】
　本発明は、上記目的を達成するために、所定の厚みを有するフラットパネルと、一側から他側に向けて傾斜した断面を持つ複数種の傾斜パネルとを組み合わせて屋根躯体上に敷き並べることにより水勾配を取り、水をドレーンに向けて案内する陸屋根構造において、複数種の傾斜パネルは、傾斜上端面からこれに対向する傾斜下端面に向けて下方傾斜する平面が矩形状の第１の矩形傾斜パネル（１７）と、第１の矩形傾斜パネルの傾斜下端面とほぼ同じ厚みを有する一辺を傾斜上端面とし、この傾斜上端面からこれに対向する傾斜下端面に向けて下方傾斜する平面が矩形状の第２の矩形傾斜パネル（１６）と、第１の矩形傾斜パネルの傾斜上端面の左側角部から長手方向所定寸法部位と傾斜下端面の左側角部とを結ぶ線に沿って切断して得られ、傾斜上端面からこれに対向する傾斜下端頂点に向けて下方傾斜する平面が直角二等辺三角形をなす第１の三角傾斜パネル（２０）と、第１の矩形傾斜パネルの傾斜上端面の右側角部から長手方向所定寸法部位と傾斜下端面の右側角部とを結ぶ線に沿って切断して得られ、傾斜上端面からこれに対向する傾斜下端頂点に向けて下方傾斜する平面が直角二等辺三角形をなす第２の三角傾斜パネル（２１）と、第２の矩形傾斜パネルの傾斜上端面の右側角部から長手方向所定寸法部位と傾斜下端面の右側角部とを結ぶ線に沿って切断して得られ、傾斜上端面からこれに対向する傾斜下端頂点に向けて下方傾斜する平面が直角二等辺三角形をなす第３の三角傾斜パネル（１８）と、第２の矩形傾斜パネルの傾斜上端面の左側角部から長手方向所定寸法部位と傾斜下端面の左側角部とを結ぶ線に沿って切断して得られ、傾斜上端面からこれに対向する傾斜下端頂点に向けて下方傾斜する平面が直角二等辺三角形をなす第４の三角傾斜パネル（１９）と、第１の矩形傾斜パネルの傾斜下端面の左側角部から長手方向所定寸法部位と傾斜上端面の左側角部とを結ぶ線により画成される直角二等辺三角形部分を切り落として得られ長辺の傾斜上端面からこれに対向する短辺の傾斜下端面に向けて下方傾斜する平面が台形状の第１の台形傾斜パネル（２２）と、第１の矩形傾斜パネルの傾斜下端面の右側角部から長手方向所定寸法部位と傾斜上端面の右側角部とを結ぶ線により画成される直角二等辺三角形部分を切り落として得られ長辺の傾斜上端面からこれに対向する短辺の傾斜下端面に向けて下方傾斜する平面が台形状の第２の台形傾斜パネル（２３）とを含み、第１の台形傾斜パネル（２２）の傾斜下端面に第３の三角傾斜パネルの傾斜上端面を合致させて平面がより大きな直角二等辺三角形の一方の大寸法三角傾斜パネルを形成可能とし、第２の台形傾斜パネル（２３）の傾斜下端面に第４の三角傾斜パネルの傾斜上端面を合致させて平面がより大きな直角二等辺三角形の他方の大寸法三角傾斜パネルを形成可能とし、また、前記一方の大寸法三角傾斜パネルと他方の大寸法三角傾斜パネルの双方の三角形斜辺を合致させてＶ字形の下り傾斜面を形成可能とし、さらに、前記一方の大寸法三角傾斜パネルと他方の大寸法三角傾斜パネルの双方の対応する三角形等辺を合致させて補助水分線を形成可能とし、これらを組み合わせることにより、陸屋根の表面を一または複数の地点に向かう連続した下り傾斜面として形成するとともに、その傾斜面の傾斜が到達する位置にドレーンを配設し、陸屋根の表面を一または複数の地点、すなわちドレーンの設定地点に向かう連続した下り傾斜面として形成したものである。」と訂正する。
　　　　　
　訂正事項ｄ
　特許明細書の段落番号【００１７】の「１４は断熱材〜備えている。」を、
「１４は断熱材であり、図２に示すように、所定の厚みを有する１種類のフラットパネル１５と、傾斜角が等しく、厚みの異なる複数種類の傾斜パネルとして、一辺からこれに対向する他の一辺に向けて下方傾斜する平面が矩形をなす２種類の傾斜パネル１６，１７（矩形傾斜パネル）と、一辺からこれに対向する頂点に向けて下方傾斜する平面が直角二等辺三角形をなす４種類の傾斜パネル１８，１９，２０，２１（三角傾斜パネル）と、長辺からこれに対向する平行な短辺に向けて下方傾斜する平面が台形をなす２種類の傾斜パネル２２，２３（台形傾斜パネル）とを備えている。」と訂正する。
　　　　　
　訂正事項ｅ
　特許明細書の段落番号【００２５】の「【発明の効果】〜できる。」を、
「【発明の効果】
　以上説明したように、本発明によれば、複数種の傾斜パネルとして．一辺からこれに対向する他の一辺に向けて下方傾斜する平面が矩形状の複数種類の傾斜パネルと、一辺からこれに対向する頂点に向けて下方傾斜する平面が直角二.等辺三角形状の複数種類の傾斜パネルと、長辺からこれに対向する平行な短辺に向けて下方傾斜する平面が台形状の複数種類の傾斜パネルとを含み、これらの複数種類の傾斜パネルと、所定の厚みを有するフラットパネルとの組み合わせにより、陸屋根の表面を一または複数の地点、すなわちドレーンの設定地点に向かう連続した下り傾斜面として形成しているので、陸屋根上に水が部分的に溜まるのを防止して水をドレーンに向けてスムーズに導くことができ、確実な排水性を実現することができる。」と訂正する。
　　　　　　　
２−２．訂正の要件の適否
　上記訂正事項ａは、特許明細書の特許請求の範囲の請求項１に記載された、「一側から他側に向けて傾斜した断面を持つ複数種の傾斜パネル」の各傾斜パネルを、図面及び実施例に記載されている構造に限定し、かつ、各要素に括弧付きの添数字を付そうとするものである。そして、上記訂正事項ａは、願書に添付した明細書又は図面に記載した事項の範囲内で特許請求の範囲を減縮する訂正であり、また、実質上特許請求の範囲を拡張し又は変更するものでもない。
　上記訂正事項ｂは、特許請求の範囲を減縮する訂正である。
　上記訂正事項ｃ〜ｅについては、特許請求の範囲の請求項１の訂正に伴い、特許請求の範囲の記載と発明の詳細な説明との整合を図るための訂正で、明瞭でない記載の釈明を目的とするものであり、また、願書に添付した明細書又は図面に記載した事項の範囲内の訂正であり、特許請求の範囲を拡張し又は変更するものでもない。
　　　
２−３．独立特許要件  
　上記訂正事項ａにおいて、訂正後における特許請求の範囲の請求項１に記載されている事項により構成される発明は、後述する「３．特許異議申立てについて」の「３−５．対比・判断」でしたように、取消理由及び特許異議申立ての理由では、特許を受けることができないとすることができず、又、他に特許を受けることができないとする理由も発見できないから、特許出願の際独立して特許を受けることができるものである。
　　　　　
２−４．むすび
　以上のとおりであるから、上記訂正請求は、平成６年法律第１１６号附則第６条第１項の規定によりなお従前の例によるとされる、特許法第１２０条の４第２項及び同条第３項で準用する第１２６条第２項〜第４項の規定に適合し、当該訂正は認められる。
　　　　
３．特許異議申立てについて
３−１．訂正後の本件請求項１に係る発明
　訂正後の本件請求項１に係る発明は、本件訂正請求書に添付された訂正明細書の特許請求の範囲の請求項１に記載された次のとおりのものである。
「所定の厚みを有するフラットパネルと、一側から他側に向けて傾斜した断面を持つ複数種の傾斜パネルとを組み合わせて屋根躯体上に敷き並べることにより水勾配を取り、水をドレーンに向けて案内する陸屋根構造において、
　複数種の傾斜パネルは、
　傾斜上端面からこれに対向する傾斜下端面に向けて下方傾斜する平面が矩形状の第１の矩形傾斜パネル（１７）と、
　第１の矩形傾斜パネルの傾斜下端面とほぼ同じ厚みを有する一辺を傾斜上端面とし、この傾斜上端面からこれに対向する傾斜下端面に向けて下方傾斜する平面が矩形状の第２の矩形傾斜パネル（１６）と、
　第１の矩形傾斜パネルの傾斜上端面の左側角部から長手方向所定寸法部位と傾斜下端面の左側角部とを結ぶ線に沿って切断して得られ、傾斜上端面からこれに対向する傾斜下端頂点に向けて下方傾斜する平面が直角二等辺三角形をなす第１の三角傾斜パネル（２０）と、
　第１の矩形傾斜パネルの傾斜上端面の右側角部から長手方向所定寸法部位と傾斜下端面の右側角部とを結ぶ線に沿って切断して得られ、傾斜上端面からこれに対向する傾斜下端頂点に向けて下方傾斜する平面が直角二等辺三角形をなす第２の三角傾斜パネル（２１）と、
　第２の矩形傾斜パネルの傾斜上端面の右側角部から長手方向所定寸法部位と傾斜下端面の右側角部とを結ぶ線に沿って切断して得られ、傾斜上端面からこれに対向する傾斜下端頂点に向けて下方傾斜する平面が直角二等辺三角形をなす第３の三角傾斜パネル（１８）と、
　第２の矩形傾斜パネルの傾斜上端面の左側角部から長手方向所定寸法部位と傾斜下端面の左側角部とを結ぶ線に沿って切断して得られ、傾斜上端面からこれに対向する傾斜下端頂点に向けて下方傾斜する平面が直角二等辺三角形をなす第４の三角傾斜パネル（１９）と、
　第１の矩形傾斜パネルの傾斜下端面の左側角部から長手方向所定寸法部位と傾斜上端面の左側角部とを結ぶ線により画成される直角二等辺三角形部分を切り落として得られ長辺の傾斜上端面からこれに対向する短辺の傾斜下端面に向けて下方傾斜する平面が台形状の第１の台形傾斜パネル（２２）と、
　第１の矩形傾斜パネルの傾斜下端面の右側角部から長手方向所定寸法部位と傾斜上端面の右側角部とを結ぶ線により画成される直角二等辺三角形部分を切り落として得られ長辺の傾斜上端面からこれに対向する短辺の傾斜下端面に向けて下方傾斜する平面が台形状の第２の台形傾斜パネル（２３）とを含み、
　第１の台形傾斜パネル（２２）の傾斜下端面に第３の三角傾斜パネルの傾斜上端面を合致させて平面がより大きな直角二等辺三角形の一方の大寸法三角傾斜パネルを形成可能とし、
　第２の台形傾斜パネル（２３）の傾斜下端面に第４の三角傾斜パネルの傾斜上端面を合致させて平面がより大きな直角二等辺三角形の他方の大寸法三角傾斜パネルを形成可能とし、
　また、前記一方の大寸法三角傾斜パネルと他方の大寸法三角傾斜パネルの双方の三角形斜辺を合致させてＶ字形の下り傾斜面を形成可能とし、
　さらに、前記一方の大寸法三角傾斜パネルと他方の大寸法三角傾斜パネルの双方の対応する三角形等辺を合致させて補助水分線を形成可能とし、
　これらを組み合わせることにより、陸屋根の表面を一または複数の地点に向かう連続した下り傾斜面として形成するとともに、その傾斜面の傾斜が到達する位置にドレーンを配設したことを特徴とする陸屋根構造。」
　　　　　
３−２．特許異議申立ての理由の概要
　特許異議申立人鐘淵化学工業株式会社は、
甲第１号証（Sweet's  Catalog  File,(1980)  (米）McGraw-Hill Information System　Company.7.15 roof insulation （以下、 「Sweet's  Catalog」と略称する。））、　
　甲第１号証の１（Sweet's  Catalog,  Pittsburgh　Corning  Corp.  ・・・7.15/Pi）
　甲第１号証の２（Sweet's  Catalog,　Lucas　Sales Co.,Inc.・・・7.15/Lu),
　甲第１号証の３（Sweet's  Catalog,  Benoit　Inc.・・・7.15/Be)及び
　甲第１号証の４（Sweet's  Catalog,  Western  Insulfoam  Corp.・・・7.15/We)
を提出して、本件請求項１，２に係る発明は、甲第１号証（甲第１号証の１〜４）に記載された発明に基づいて当業者が容易に発明をすることができたものであるから、特許法第２９条第２項の規定により特許を受けることができない旨主張している。
　　　
３−３．取消理由の概要
　取消理由は、刊行物１として、特許異議申立人鐘淵化学工業株式会社が甲第１号証の１として提出した、Sweet's  Catalog,  Pittsburgh  Corning  Corp.  ・・・7.15/Pi  を、刊行物２として、特許異議申立人鐘淵化学工業株式会社が甲第１号証の３として提出した、Sweet's  Catalog,　Benoit 　Inc.・・・7.15/Be  をそれぞれ引用し、
　本件請求項１及び２に係る発明は、それぞれ刊行物１及び２記載の発明に基づいて当業者が容易に発明をすることができたものであり、本件請求項１及び２に係る特許は、特許法第２９条第２項の規定に違反してなされたものである、としている。
　　　
３−４．甲各号証及び刊行物１，２に記載の事項
　特許異議申立人鐘淵化学工業株式会社が提出した甲第１号証の１〜４には、それぞれ以下の事項が記載されている。
　　　　　
　甲第１号証の１（刊行物１）には、
『（１）所定の厚みを有するフラットパネルと、一側から他側に向けて傾斜した断面を持つ平面が矩形状の複数種の傾斜パネル、（２）複数のパネルを組み合わせて屋根躯体上に敷き並べること、（３）複数のパネルにより一または複数の地点に向かう連続した下り傾斜面を形成すること、そして（４）その傾斜が到達する位置に一または複数のドレーンを配設すること。』
　　　　
　甲第１号証の２には、
『（１）所定の厚みを有するフラットパネルと、一側から他側に向けて傾斜した断面を持つ平面が矩形状の複数種の傾斜パネルと、特定のパネルを適切に切断することにより得られる所望形状のパネル、そして（２）複数種のパネルを敷き並べて連続する傾斜面を形成し、その傾斜の到達する位置にドレーンを配設すること。』　　　　　
　　　　
　甲第１号証の３（刊行物２）には、
『（１）一辺からこれに対向する頂点に向けて下方傾斜する平面が三角形状の傾斜パネルと、長辺からこれに対向する短辺に向けて下方傾斜していると想定される平面が台形状の傾斜パネルと、特定のパネルを適切に切断することにより得られる所望形状のパネル、そして（２）複数種のパネルを敷き並べて連続する傾斜面を形成し、その傾斜の到達する位置にドレーンを配設すること。』
　　　　
　甲第１号証の４には、
『（１）複数種のパネルを敷き並べて連続する傾斜面を形成し、その傾斜の到達する位置にドレーンを配設すること。』
　　　　
３−５．対比・判断
３−５−１．取消理由について
　訂正後の本件請求項１に係る発明と前記取消理由に引用した刊行物１記載の発明とを比較すると、両者共、所定の厚みを有するフラットパネルと、複数種の傾斜パネルとを組み合わせて、屋根躯体上に敷き並べて連続した下り傾斜面を形成し、その傾斜の到達する位置にドレーンを配設した屋根構造、である点で共通のものであるが、
　　　　　　
　本件発明において、複数種の傾斜パネルが、
「第１の矩形傾斜パネルの傾斜上端面の左側角部から長手方向所定寸法部位と傾斜下端面の左側角部とを結ぶ線に沿って切断して得られ、傾斜上端面からこれに対向する傾斜下端頂点に向けて下方傾斜する平面が直角二等辺三角形をなす第１の三角傾斜パネル（２０）と、
　第１の矩形傾斜パネルの傾斜上端面の右側角部から長手方向所定寸法部位と傾斜下端面の右側角部とを結ぶ線に沿って切断して得られ、傾斜上端面からこれに対向する傾斜下端頂点に向けて下方傾斜する平面が直角二等辺三角形をなす第２の三角傾斜パネル（２１）と、
　第２の矩形傾斜パネルの傾斜上端面の右側角部から長手方向所定寸法部位と傾斜下端面の右側角部とを結ぶ線に沿って切断して得られ、傾斜上端面からこれに対向する傾斜下端頂点に向けて下方傾斜する平面が直角二等辺三角形をなす第３の三角傾斜パネル（１８）と、
　第２の矩形傾斜パネルの傾斜上端面の左側角部から長手方向所定寸法部位と傾斜下端面の左側角部とを結ぶ線に沿って切断して得られ、傾斜上端面からこれに対向する傾斜下端頂点に向けて下方傾斜する平面が直角二等辺三角形をなす第４の三角傾斜パネル（１９）と、
　第１の矩形傾斜パネルの傾斜下端面の左側角部から長手方向所定寸法部位と傾斜上端面の左側角部とを結ぶ線により画成される直角二等辺三角形部分を切り落として得られ長辺の傾斜上端面からこれに対向する短辺の傾斜下端面に向けて下方傾斜する平面が台形状の第１の台形傾斜パネル（２２）と、
　第１の矩形傾斜パネルの傾斜下端面の右側角部から長手方向所定寸法部位と傾斜上端面の右側角部とを結ぶ線により画成される直角二等辺三角形部分を切り落として得られ長辺の傾斜上端面からこれに対向する短辺の傾斜下端面に向けて下方傾斜する平面が台形状の第２の台形傾斜パネル（２３）とを含み、
　第１の台形傾斜パネル（２２）の傾斜下端面に第３の三角傾斜パネルの傾斜上端面を合致させて平面がより大きな直角二等辺三角形の一方の大寸法三角傾斜パネルを形成可能とし、
　第２の台形傾斜パネル（２３）の傾斜下端面に第４の三角傾斜パネルの傾斜上端面を合致させて平面がより大きな直角二等辺三角形の他方の大寸法三角傾斜パネルを形成可能とし、
　また、前記一方の大寸法三角傾斜パネルと他方の大寸法三角傾斜パネルの双方の三角形斜辺を合致させてＶ字形の下り傾斜面を形成可能とし、
　さらに、前記一方の大寸法三角傾斜パネルと他方の大寸法三角傾斜パネルの双方の対応する三角形等辺を合致させて補助水分線を形成可能とし、　
　これらを組み合わせる」　構成　（以下、『４種類の三角傾斜パネル、２種類の台形傾斜パネル及び組み合わせ傾斜パネル』という。）
を包含する点が、刊行物１には記載がない点で相違しているものと認められる。
　　　　
　そこで、この相違点を検討すると、前記取消理由に引用した刊行物２には、複数種の傾斜パネルとして、平面が三角形状の傾斜パネルと、平面が台形状の想定傾斜パネルと、特定のパネルを切断して得られる所望形状のパネルとが記載されているが、上記相違点に述べられるような、『４種類の三角傾斜パネル、２種類の台形傾斜パネル及び組み合わせ傾斜パネル』　を包含する複数種の傾斜パネルについては、記載も示唆もされていない。
　そして、訂正後の本件請求項１に係る発明は、上記相違点における事項を構成事項とすることによって、「これらの複数種類の傾斜パネルと、所定の厚みを有するフラットパネルとの組み合わせにより、陸屋根の表面を一または複数の地点、すなわちドレーンの設定地点に向かう連続した下り傾斜面として形成しているので・・・確実な排水性を実現することができる。」　という訂正明細書（段落番号【００２５】参照）記載の特有の効果を奏するものである。
　したがって、訂正後の本件請求項１に係る発明は、前記取消理由に引用した刊行物１，２記載の発明に基づいて当業者が容易に発明をすることができたものとすることができない。
　　　　
３−５−２．特許異議申立ての理由について
　訂正後の本件請求項１に係る発明と特許異議申立人鐘淵化学工業株式会社が提出し、前記取消理由において刊行物１，２として引用した甲第１号証の１及び甲第１号証の３記載の発明との対比・判断は上記「３−５−１．取消理由について」　でしたとおりであり、その他の甲第１号証の２及び甲第１号証の４記載の発明においても、訂正後の本件請求項１に係る発明の構成事項となっている、『４種類の三角傾斜パネル、２種類の台形傾斜パネル及び組み合わせ傾斜パネル』　を包含する複数種の傾斜パネルについては記載も示唆もされておらず、訂正後の本件請求項１に係る発明は、当該事項を備えることにより、上記「３−５−１．取消理由について」　に記載したような特有の効果を奏するものと認められるから、訂正後の本件請求項１に係る発明は、特許異議申立人鐘淵化学工業株式会社が提出した甲第１号証　（甲第１号証の１〜４）　記載の発明に基づいて当業者が容易に発明をすることができたものとすることはできない。　よって、特許異議申立人　鐘淵化学工業株式会社の主張する理由は、採用することができない。
　　　　
３−６．むすび
　以上のとおりであるから、取消理由及び特許異議申立ての理由並びに証拠方法によっては、訂正後の本件請求項１に係る発明の特許を取り消すことはできない。
　また、他に訂正後の本件請求項１に係る発明の特許を取り消すべき理由を発見しない。 
　よって、結論のとおり決定する。
【異議決定日】
平成１２年３月３１日（２０００．３．３１）
【訂正の要旨】
〔訂正の要旨〕
　特許第２５４３４６９号発明の明細書を、本件特許異議申立てに関連してなされた訂正請求書に添付した訂正明細書のとおりに訂正する。
　すなわち、特許請求の範囲の減縮を目的として下記（１）、（２）のとおり、また、明瞭でない記載の釈明を目的として下記（３）〜（５）のとおり訂正する。
（１）特許請求の範囲の請求項１を、
「所定の厚みを有するフラットパネルと、一側から他側に向けて傾斜した断面を持つ複数種の傾斜パネルとを組み合わせて屋根躯体上に敷き並べることにより水勾配を取り、水をドレーンに向けて案内する陸屋根構造において、
　複数種の傾斜パネルは、
　傾斜上端面からこれに対向する傾斜下端面に向けて下方傾斜する平面が矩形状の第１の矩形傾斜パネル（１７）と、
　第１の矩形傾斜パネルの傾斜下端面とほぼ同じ厚みを有する一辺を傾斜上端面とし、この傾斜上端面からこれに対向する傾斜下端面に向けて下方傾斜する平面が矩形状の第２の矩形傾斜パネル（１６）と、
　第１の矩形傾斜パネルの傾斜上端面の左側角部から長手方向所定寸法部位と傾斜下端面の左側角部とを結ぶ線に沿って切断して得られ、傾斜上端面からこれに対向する傾斜下端頂点に向けて下方傾斜する平面が直角二等辺三角形をなす第１の三角傾斜パネル（２０）と、
　第１の矩形傾斜パネルの傾斜上端面の右側角部から長手方向所定寸法部位と傾斜下端面の右側角部とを結ぶ線に沿って切断して得られ、傾斜上端面からこれに対向する傾斜下端頂点に向けて下方傾斜する平面が直角二等辺三角形をなす第２の三角傾斜パネル（２１）と、
　第２の矩形傾斜パネルの傾斜上端面の右側角部から長手方向所定寸法部位と傾斜下端面の右側角部とを結ぶ線に沿って切断して得られ、傾斜上端面からこれに対向する傾斜下端頂点に向けて下方傾斜する平面が直角二等辺三角形をなす第３の三角傾斜パネル（１８）と、
　第２の矩形傾斜パネルの傾斜上端面の左側角部から長手方向所定寸法部位と傾斜下端面の左側角部とを結ぶ線に沿って切断して得られ、傾斜上端面からこれに対向する傾斜下端頂点に向けて下方傾斜する平面が直角二等辺三角形をなす第４の三角傾斜パネル（１９）と、
　第１の矩形傾斜パネルの傾斜下端面の左側角部から長手方向所定寸法部位と傾斜上端面の左側角部とを結ぶ線により画成される直角二等辺三角形部分を切り落として得られ長辺の傾斜上端面からこれに対向する短辺の傾斜下端面に向けて下方傾斜する平面が台形状の第１の台形傾斜パネル（２２）と、
　第１の矩形傾斜パネルの傾斜下端面の右側角部から長手方向所定寸法部位と傾斜上端面の右側角部とを結ぶ線により画成される直角二等辺三角形部分を切り落として得られ長辺の傾斜上端面からこれに対向する短辺の傾斜下端面に向けて下方傾斜する平面が台形状の第２の台形傾斜パネル（２３）とを含み、
　第１の台形傾斜パネル（２２）の傾斜下端面に第３の三角傾斜パネルの傾斜上端面を合致させて平面がより大きな直角二等辺三角形の一方の大寸法三角傾斜パネルを形成可能とし、
　第２の台形傾斜パネル（２３）の傾斜下端面に第４の三角傾斜パネルの傾斜上端面を合致させて平面がより大きな直角二等辺三角形の他方の大寸法三角傾斜パネルを形成可能とし、
　また、前記一方の大寸法三角傾斜パネルと他方の大寸法三角傾斜パネルの双方の三角形斜辺を合致させてＶ字形の下り傾斜面を形成可能とし、
　さらに、前記一方の大寸法三角傾斜パネルと他方の大寸法三角傾斜パネルの双方の対応する三角形等辺を合致させて補助水分線を形成可能とし、
　これらを組み合わせることにより、陸屋根の表面を一または複数の地点に向かう連続した下り傾斜面として形成するとともに、その傾斜面の傾斜が到達する位置にドレーンを配設したことを特徴とする陸屋根構造。」と訂正する。
（２）特許請求の範囲の請求項２を削除する。
（３）明細書段落番号【００１３】（本件特許公報４欄２１〜３０行）を、
「【課題を解決するための手段】
　本発明は、上記目的を達成するために、所定の厚みを有するフラットパネルと、一側から他側に向けて傾斜した断面を持つ複数種の傾斜パネルとを組み合わせて屋根躯体上に敷き並べることにより水勾配を取り、水をドレーンに向けて案内する陸屋根構造において、複数種の傾斜パネルは、傾斜上端面からこれに対向する傾斜下端面に向けて下方傾斜する平面が矩形状の第１の矩形傾斜パネル（１７）と、第１の矩形傾斜パネルの傾斜下端面とほぼ同じ厚みを有する一辺を傾斜上端面とし、この傾斜上端面からこれに対向する傾斜下端面に向けて下方傾斜する平面が矩形状の第２の矩形傾斜パネル（１６）と、第１の矩形傾斜パネルの傾斜上端面の左側角部から長手方向所定寸法部位と傾斜下端面の左側角部とを結ぶ線に沿って切断して得られ、傾斜上端面からこれに対向する傾斜下端頂点に向けて下方傾斜する平面が直角二等辺三角形をなす第１の三角傾斜パネル（２０）と、第１の矩形傾斜パネルの傾斜上端面の右側角部から長手方向所定寸法部位と傾斜下端面の右側角部とを結ぶ線に沿って切断して得られ、傾斜上端面からこれに対向する傾斜下端頂点に向けて下方傾斜する平面が直角二等辺三角形をなす第２の三角傾斜パネル（２１）と、第２の矩形傾斜パネルの傾斜上端面の右側角部から長手方向所定寸法部位と傾斜下端面の右側角部とを結ぶ線に沿って切断して得られ、傾斜上端面からこれに対向する傾斜下端頂点に向けて下方傾斜する平面が直角二等辺三角形をなす第３の三角傾斜パネル（１８）と、第２の矩形傾斜パネルの傾斜上端面の左側角部から長手方向所定寸法部位と傾斜下端面の左側角部とを結ぶ線に沿って切断して得られ、傾斜上端面からこれに対向する傾斜下端頂点に向けて下方傾斜する平面が直角二等辺三角形をなす第４の三角傾斜パネル（１９）と、第１の矩形傾斜パネルの傾斜下端面の左側角部から長手方向所定寸法部位と傾斜上端面の左側角部とを結ぶ線により画成される直角二等辺三角形部分を切り落として得られ長辺の傾斜上端面からこれに対向する短辺の傾斜下端面に向けて下方傾斜する平面が台形状の第１の台形傾斜パネル（２２）と、第１の矩形傾斜パネルの傾斜下端面の右側角部から長手方向所定寸法部位と傾斜上端面の右側角部とを結ぶ線により画成される直角二等辺三角形部分を切り落として得られ長辺の傾斜上端面からこれに対向する短辺の傾斜下端面に向けて下方傾斜する平面が台形状の第２の台形傾斜パネル（２３）とを含み、第１の台形傾斜パネル（２２）の傾斜下端面に第３の三角傾斜パネルの傾斜上端面を合致させて平面がより大きな直角二等辺三角形の一方の大寸法三角傾斜パネルを形成可能とし、第２の台形傾斜パネル（２３）の傾斜下端面に第４の三角傾斜パネルの傾斜上端面を合致させて平面がより大きな直角二等辺三角形の他方の大寸法三角傾斜パネルを形成可能とし、また、前記一方の大寸法三角傾斜パネルと他方の大寸法三角傾斜パネルの双方の三角形斜辺を合致させてＶ字形の下り傾斜面を形成可能とし、さらに、前記一方の大寸法三角傾斜パネルと他方の大寸法三角傾斜パネルの双方の対応する三角形等辺を合致させて補助水分線を形成可能とし、これらを組み合わせることにより、陸屋根の表面を一または複数の地点に向かう連続した下り傾斜面として形成するとともに、その傾斜面の傾斜が到達する位置にドレーンを配設し、陸屋根の表面を一または複数の地点、すなわちドレーンの設定地点に向かう連続した下り傾斜面として形成したものである。」と訂正する。
（４）同段落番号【００１７】（同４欄４３行〜５欄５行）を、
「１４は断熱材であり、図２に示すように、所定の厚みを有する１種類のフラットパネル１５と、傾斜角が等しく、厚みの異なる複数種類の傾斜パネルとして、一辺からこれに対向する他の一辺に向けて下方傾斜する平面が矩形をなす２種類の傾斜パネル１６，１７（矩形傾斜パネル）と、一辺からこれに対向する頂点に向けて下方傾斜する平面が直角二等辺三角形をなす４種類の傾斜パネル１８，１９，２０，２１　（三角傾斜パネル）と、長辺からこれに対向する平行な短辺に向けて下方傾斜する平面が台形をなす２種類の傾斜パネル２２，２３（台形傾斜パネル）とを備えている。」と訂正する。
（５）同段落番号【００２５】（同８欄１１〜２３行）を、
「【発明の効果】
　以上説明したように、本発明によれば、複数種の傾斜パネルとして．一辺からこれに対向する他の一辺に向けて下方傾斜する平面が矩形状の複数種類の傾斜パネルと、一辺からこれに対向する頂点に向けて下方傾斜する平面が直角二等辺三角形状の複数種類の傾斜パネルと、長辺からこれに対向する平行な短辺に向けて下方傾斜する平面が台形状の複数種類の傾斜パネルとを含み、これらの複数種類の傾斜パネルと、所定の厚みを有するフラットパネルとの組み合わせにより、陸屋根の表面を一または複数の地点、すなわちドレーンの設定地点に向かう連続した下り傾斜面として形成しているので、陸屋根上に水が部分的に溜まるのを防止して水をドレーンに向けてスムーズに導くことができ、確実な排水性を実現することがでる。」と訂正する。
（５４）【発明の名称】
陸屋根構造
（５７）【特許請求の範囲】
　【請求項１】　所定の厚みを有するフラットパネルと、一側から他側に向けて傾斜した断面を持つ複数種の傾斜パネルとを組み合わせて屋根▲躯▼体上に敷き並べることにより水勾配を取り、水をドレーンに向けて案内する陸屋根構造において、
　複数種の傾斜パネルは、
　傾斜上端面からこれに対向する傾斜下端面に向けて下方傾斜する平面が矩形状の第１の矩形傾斜パネル（１７）と、
　第１の矩形傾斜パネルの傾斜下端面とほぼ同じ厚みを有する一辺を傾斜上端面とし、この傾斜上端面からこれに対向する傾斜下端面に向けて下方傾斜する平面が矩形状の第２の矩形傾斜パネル（１６）と、
　第１の矩形傾斜パネルの傾斜上端面の左側角部から長手方向所定寸法部位と傾斜下端面の左側角部とを結ぶ線に沿って切断して得られ、傾斜上端面からこれに対向する傾斜下端頂点に向けて下方傾斜する平面が直角二等辺三角形をなす第１の三角傾斜パネル（２０）と、
　第１の矩形傾斜パネルの傾斜上端面の右側角部から長手方向所定寸法部位と傾斜下端面の右側角部とを結ぶ線に沿って切断して得られ、傾斜上端面からこれに対向する傾斜下端頂点に向けて下方傾斜する平面が直角ニ等辺三角形をなす第２の三角傾斜パネル（２１）と、
　第２の矩形傾斜パネルの傾斜上端面の右側角部から長手方向所定寸法部位と傾斜下端面の右側角部とを結ぶ線に沿って切断して得られ、傾斜上端面からこれに対向する傾斜下端頂点に向けて下方傾斜する平面が直角二等辺三角形をなす第３の三角傾斜パネル（１８）と、
　第２の矩形傾斜パネルの傾斜上端面の左側角部から長手方向所定寸法部位と傾斜下端面の左側角部とを結ぶ線に沿って切断して得られ、傾斜上端面からこれに対向する傾斜下端頂点に向けて下方傾斜する平面が直角二等辺三角形をなす第４の三角傾斜パネル（１９）と、
　第１の矩形傾斜パネルの傾斜下端面の左側角部から長手方向所定寸法部位と傾斜上端面の左側角部とを結ぶ線により画成される直角二等辺三角形部分を切り落として得られ長辺の傾斜上端面からこれに対向する短辺の傾斜下端面に向けて下方傾斜する平面が台形状の第１の台形傾斜パネル（２２）と、
　第１の矩形傾斜パネルの傾斜下端面の右側角部から長手方向所定寸法部位と傾斜上端面の右側角部とを結ぶ線により画成される直角二等辺三角形部分を切り落として得られ長辺の傾斜上端面からこれに対向する短辺の傾斜下端面に向けて下方傾斜する平面が台形状の第２の台形傾斜パネル（２３）とを含み、
　第１の台形傾斜パネル（２２）の傾斜下端面に第３の三角傾斜パネルの傾斜上端面を合致させて平面がより大きな直角二等辺三角形の一方の大寸法三角傾斜パネルを形成可能とし、
　第２の台形傾斜パネル（２３）の傾斜下端面に第４の三角傾斜パネルの傾斜上端面を合致させて平面がより大きな直角二等辺三角形の他方の大寸法三角傾斜パネルを形成可能とし、
　また、前記一方の大寸法三角傾斜パネルと他方の大寸法三角傾斜パネルの双方の三角形斜辺を合致させてＶ字形の下り傾斜面を形成可能とし、
　さらに、前記一方の大寸法三角傾斜パネルと他方の大寸法三角傾斜パネルの双方の対応する三角形等辺を合致させて補助水分線を形成可能とし、
　これらを組み合わせることにより、
【発明の詳細な説明】
　【０００１】
　【産業上の利用分野】
　本発明は、陸屋根構造、特にパネルを敷きつめるのみで雨水を決められた地点へ導くことのできる陸屋根構造に関する。
　【０００２】
　【従来の技術】
　この種の陸屋根は一般に、図４に示すように、屋根▲躯▼体ａとその上を覆う断熱層ｂおよび防水層ｃとで構成され、その表面には雨水の排水等を目的とする所定の水勾配が採られている。なお、陸屋根を歩行可能な屋上として構成する場合には断熱層の上に硬質の板材を敷いてその上に防水層を形成する。
　【０００３】
　図５はこのような従来の陸屋根構造の概略構成を示している。なお、図５中には防水層を省略して例示してある。図５において、５１は陸屋根である。５２はドレーンであり、陸屋根５１の前端部と後端部の左右および中央にそれぞれ設定されている。
　【０００４】
　５３は陸屋根５１の屋根▲躯▼体であり、複数のＡＬＣ板（軽量気泡コンクリート板）を用い、これらを水平な梁の上に敷き並べて形成されている。
　【０００５】
　５４は断熱材であり、図６に示すように、所定厚の１種類のフラットパネル５５と、傾斜角が等しく、厚みの異なる２種類の傾斜パネルである第１の傾斜パネル５６，第２の傾斜パネル５７として形成されており、これらを組み合わせて屋根▲躯▼体５３上に敷き並べることにより、断熱層を形成するとともに水勾配の下地を構成する。一例として、フラットパネル５５は縦９１０ｍｍ、横１８２０ｍｍの寸法を有する矩形平面を成し、厚さが１５ｍｍに設定されている。第１の傾斜パネル５６はフラットパネル５５と同様に縦９１０ｍｍ、横１８２０ｍｍの寸法を有する矩形平面を成し、傾斜下端面の厚さが１５ｍｍ、傾斜上端面の厚さが２２．５ｍｍに設定されている。第２の傾斜パネル５７はフラットパネル５５と同様に縦９１０ｍｍ、横１８２０ｍｍの寸法を有する矩形平面を成し、傾斜下端面の厚さが２２．５ｍｍ、傾斜上端面の厚さが３０ｍｍに設定されている。
　【０００６】
　次に屋根▲躯▼体５３上における断熱材５４の組み立てについて図５および図７を用いて説明する。まず、屋根▲躯▼体５３上にその前後方向中央部に水分線５８を設定し、この水分線５８を境に前後方向にそれぞれ一列ずつ各種パネル５５，５６，５７をその傾斜上端面を水分線５８に向けて敷き並べていく。
　【０００７】
　すなわち、一列目にそれぞれ１枚のフラットパネル５５を敷き並べ、それぞれの上に厚みの大きい第２の傾斜パネル５７を重ね合わせる。次いで２列目に続けて１枚のフラットパネル５５と厚みの小さい第１の傾斜パネル５６とを同様に重ね合わせて敷き並べる。次いで３列目に続けて厚みの大きい第２の傾斜パネル５７を敷き並べ、そして４列目に続けて厚みの小さい第１の傾斜パネル５６を敷き並べる。
　【０００８】
　このように断熱材５４の各種パネル５５，５６，５７を組み合わせて屋根▲躯▼体５３上に敷き並べることにより、図７に示すように、水分線５８を境に前後方向にそれぞれ連続した下り傾斜の傾斜面を形成する。なお、この傾斜面をなす断熱材の上に防水層を構成する防水シートを敷設する。
　【０００９】
　次に上記従来の陸屋根構造における水勾配の作用について図５を用いて説明する。図５において、雨水等の水は陸屋根５１の水分線５８を境に前後方向にそれぞれ下り傾斜の傾斜面に案内されて流動し、一旦陸屋根５１の前端縁および後端縁に形成された溝部に集まり、その後この溝部の所々に配設された各ドレーン５２に流れ込む。
　【００１０】
　このように、上記従来の陸屋根構造でも、断熱材５４であるフラットパネル５５と、第１および第２の傾斜パネル５６，５７のような複数種の傾斜パネルとで水勾配の下地を構成する。
　【００１１】
　【発明が解決しようとする課題】
　しかしながら、上記従来の陸屋根構造では、陸屋根上に形成された水勾配が所定の傾斜角の連続した傾斜面であるため、この傾斜面の下端縁が直線的に同じ高さであり、その端縁に沿って水が筋状に溜まってしまい、十分な排水性が得られないという問題があった。このため、従来においては所謂左官職人等の技術者の技能に委ねて、モルタルによりその端縁に沿ってドレーン方向に傾斜を付けたりしているが、今日左官職人の減少によりこのような技術者に依拠しにくくなっており、またパネルを敷設した後にモルタル塗り処置を行なうことは、工程の増加を招くとともにコストの増大につながるという不具合があった。
　【００１２】
　本発明は、このような従来の問題を解決するものであり、陸屋根上に部分的に水が溜まるのを防止して、確実な排水性を実現することのできる陸屋根構造を提供することを目的とする。
　【００１３】
　【課題を解決するための手段】
　本発明は、上記目的を達成するために、
所定の厚みを有するフラットパネルと、一側から他側に向けて傾斜した断面を持つ複数種の傾斜パネルとを組み合わせて屋根▲躯▼体上に敷き並べることにより水勾配を取り、水をドレーンに向けて案内する陸屋根構造において、複数種の傾斜パネルは、傾斜上端面からこれに対向する傾斜下端面に向けて下方傾斜する平面が矩形状の第１の矩形傾斜パネル（１７）と、第１の矩形傾斜パネルの傾斜下端面とほぼ同じ厚みを有する一辺を傾斜上端面とし、この傾斜上端面からこれに対向する傾斜下端面に向けて下方傾斜する平面が矩形状の第２の矩形傾斜パネル（１６）と、第１の矩形傾斜パネルの傾斜上端面の左側角部から長手方向所定寸法部位と傾斜下端面の左側角部とを結ぶ線に沿って切断して得られ、傾斜上端面からこれに対向する傾斜下端頂点に向けて下方傾斜する平面が直角二等辺三角形をなす第１の三角傾斜パネル（２０）と、第１の矩形傾斜パネルの傾斜上端面の右側角部から長手方向所定寸法部位と傾斜下端面の右側角部とを結ぶ線に沿って切断して得られ、傾斜上端面からこれに対向する傾斜下端頂点に向けて下方傾斜する平面が直角二等辺三角形をなす第２の三角傾斜パネル（２１）と、第２の矩形傾斜パネルの傾斜上端面の右側角部から長手方向所定寸法部位と傾斜下端面の右側角部とを結ぶ線に沿って切断して得られ、傾斜上端面からこれに対向する傾斜下端頂点に向けて下方傾斜する平面が直角二等辺三角形をなす第３の三角傾斜パネル（１８）と、第２の矩形傾斜パネルの傾斜上端面の左側角部から長手方向所定寸法部位と傾斜下端面の左側角部とを結ぶ線に沿って切断して得られ、傾斜上端面からこれに対向する傾斜下端頂点に向けて下方傾斜する平面が直角二等辺三角形をなす第４の三角傾斜パネル（１９）と、第１の矩形傾斜パネルの傾斜下端面の左側角部から長手方向所定寸法部位と傾斜上端面の左側角部とを結ぶ線により画成される直角二等辺三角形部分を切り落として得られ長辺の傾斜上端面からこれに対向する短辺の傾斜下端面に向けて下方傾斜する平面が台形状の第１の台形傾斜パネル（２２）と、第１の矩形傾斜パネルの傾斜下端面の右側角部から長手方向所定寸法部位と傾斜上端面の右側角部とを結ぶ線により画成される直角二等辺三角形部分を切り落として得られ長辺の傾斜上端面からこれに対向する短辺の傾斜下端面に向けて下方傾斜する平面が台形状の第２の台形傾斜パネル（２３）とを含み、第１の台形傾斜パネル（２２）の傾斜下端面に第３の三角傾斜パネルの傾斜上端面を合致させて平面がより大きな直角二等辺三角形の一方の大寸法三角傾斜パネルを形成可能とし、第２の台形傾斜パネル（２３）の傾斜下端面に第４の三角傾斜パネルの傾斜上端面を合致させて平面がより大きな直角一等辺三角形の他方の大寸法三角傾斜パネルを形成可能とし、また、前記一方の大寸法三角傾斜パネルと他方の大寸法三角傾斜パネルの双方の三角形斜辺を合致させてＶ字形の下り傾斜面を形成可能とし、さらに、前記一方の大寸法三角傾斜パネルと他方の大寸法三角傾斜パネルの双方の対応する三角形等辺を合致させて補助水分線を形成可能とし、これらを組み合わせることにより、陸屋根の表面を一または複数の地点に向かう連続した下り傾斜面として形成するとともに、その傾斜面の傾斜が到達する位置にドレーンを配設し、
　【００１４】
　【作用】
　したがって、本発明によれば、雨水等の水が陸屋根表面の傾斜面上を一または複数の地点に向けて流動し、その地点に配設されたドレーンを通じて排水される。
　【００１５】
　【実施例】
　図１は本発明の一実施例における陸屋根構造の概略構成を示すものである。なお、本実施例においても防水層を省略して例示してある。図１において、１１は陸屋根である。１２はドレーンであり、この陸屋根１１の前端部と後端部の左右および中央にそれぞれ設定されている。
　【００１６】
　１３は陸屋根１１の屋根▲躯▼体であり、複数のＡＬＣ板（軽量気泡コンクリート板）を用い、これらが水平な梁上に敷き並べられて形成されている。
　【００１７】
　１４は断熱材であり、図２に示すように、所定の厚みを有する１種類のフラットパネル１５と、傾斜角が等しく、厚みの異なる複数種類の傾斜パネルとして、一辺からこれに対向する他の一辺に向けて下方傾斜する平面が矩形をなす２種類の傾斜パネル１６，１７
（矩形傾斜パネル）
（三角傾斜パネル）
（台形傾斜パネル）
　【００１８】
　ここで、フラットパネル１５は縦９１０ｍｍ、横１８２０ｍｍの寸法を有し、厚さが１５ｍｍに設定されている。矩形状の一方の傾斜パネル１６はフラットパネル１５と同様に縦９１０ｍｍ、横１８２０ｍｍの寸法を有し、傾斜下端面の厚さが１５ｍｍ、傾斜上端面の厚さが２２．５ｍｍに設定されている。矩形状の他方の傾斜パネル１７はフラットパネル１５と同様に縦９１０ｍｍ、横１８２０ｍｍの寸法を有し、傾斜下端面の厚さが２２．５ｍｍ、傾斜上端面の厚さが３０ｍｍに設定されている。直角二等辺三角形状の傾斜パネル１８，１９は等辺の長さ寸法が９１０ｍｍであり、そのうちの一辺を構成する傾斜上端面の厚さが２２．５ｍｍ、その一辺に対向する頂角の頂点における厚さが１５ｍｍに設定されている。これらの傾斜パネル１８，１９は斜辺の採り方が異なるもので、一方の傾斜パネル１８は矩形状の傾斜パネル１６において傾斜上端面の長手方向中央部と傾斜下端面の右側角部とを結ぶ線に沿って切断することにより得られ、他方の傾斜パネル１９は矩形状の傾斜パネル１６において傾斜上端面の長手方向中央部と傾斜下端面の左側角部とを結ぶ線に沿って切断することにより得られる。直角二等辺三角形状の傾斜パネル２０，２１は等辺の長さ寸法が９１０ｍｍであり、そのうちの一辺を構成する傾斜上端面の厚さが３０ｍｍ、その一辺に対向する頂角の頂点における厚さが２２．５ｍｍに設定されている。これらの傾斜パネル２０，２１についてもまた同様に、斜辺の採り方が異なるもので、一方の傾斜パネル２０は矩形状の傾斜パネル１７において傾斜上端面の長手方向中央部と傾斜下端面の左側角部とを結ぶ線に沿って切断することにより得られ、他方の傾斜パネル２１は矩形状の傾斜パネル１７において傾斜上端面の長手方向中央部と傾斜下端面の右側角部とを結ぶ線に沿って切断することにより得られる。台形状の傾斜パネル２２，２３はその平面において長辺を上底として長さ１８２０ｍｍ、厚さ３０ｍｍに設定され、短辺を下底として長さ９１０ｍｍ、厚さ２２．５ｍｍを設定されている。これらは斜辺の採り方が異なっており、一方の傾斜パネル２２は矩形状の傾斜パネル１７において傾斜上端面の左側角部と傾斜下端面の中央部とを結ぶ線に沿って切断することにより得られ、他方の傾斜パネル２３は矩形状の傾斜パネル１７において傾斜上端面の右側角部と傾斜下端面の中央部とを結ぶ線に沿って切断することにより得られる。
　【００１９】
　次に屋根▲躯▼体１３上における断熱材１４各種パネルの組み立てについて図１および図２を用いて説明する。まず屋根▲躯▼体１３上にその前後方向中央部に水分線２４を設定し、さらに屋根▲躯▼体１３の前端部側および後端部側において、各ドレーン１２の中間点を前後方向に向けて通る第１および第２の補助水分線２５，２６を設定するとともに、各補助水分線２５，２６上の所定の位置および屋根▲躯▼体１３側縁部の所定位置からそれぞれの補助水分線２５，２６を挟んで両側に位置する２つのドレーン１２とを結ぶ補助線２７を設定する。このようにしてから水分線２４を境に前後方向に一列ずつ、以下に示すように、各種パネル１５〜２３を組み合わせて敷き並べていく。なお、各種傾斜パネル１８〜２３は基本的にその傾斜上端面を水分線２４に向けて敷設するものであり、続く説明の中で特に指摘する以外はこの向きの配列になっている。
　【００２０】
　まず、水分線２４を境に前後方向第１列目にそれぞれ、フラットパネル１５とその上に厚みの大きい一方の矩形状の傾斜パネル１７を重ね合わせて敷き並べ、次いで２列目にそれぞれ、フラットパネル１５とその上に厚みの小さい他方の矩形状の傾斜パネル１６を重ね合わせて敷き並べる。次に３列目においてはそれぞれ、台形状の各傾斜パネル２２，２３と厚みの大きい一方の矩形状の傾斜パネル１７と厚みの大きい一方の三角形状の傾斜パネル２０，２１とを組み合わせて敷き並べる。すなわち、台形状の各傾斜パネル２２，２３をそれぞれ斜辺部分を補助線２７上に合わせて敷き並べ、両側に矩形状の傾斜パネル１７を敷き並べ、各台形状の傾斜パネル２２，２３と各三角形状の傾斜パネル１７との間にそれぞれ三角形状の傾斜パネル２０，２１を嵌め込む。そして４列目においてはそれぞれ、台形状の各傾斜パネル２２，２３と、厚みの小さい一方の各三角形状の傾斜パネル１８，１９とを組み合わせて敷き並べる。すなわち、各種台形状の傾斜パネル２２，２３をそれぞれその上底である傾斜上端面を第１、第２の補助水分線２５，２６に合わせるとともにその斜辺部分を各補助線２７に合わせて敷き並べる。また、２種類の三角形状の傾斜パネル１８，１９をその斜辺を傾斜方向に沿って合わせて一対とし、これをその斜辺の合わせ目を補助線２７上に合わせて敷き並べる。この場合、前側に位置する三角形状の傾斜パネル１８または１９は他のパネルの配列方向に対して直交する向きに敷き並べることになる。なお、４列目に並べられた各三角形状の傾斜パネル１８，１９においては、それぞれ下り傾斜面の下端部、すなわちドレーン１２に対応する部分をドレーン１２に合わせて切除する。
　【００２１】
　このようにフラットパネル１５と各種傾斜パネル１６〜２３とを組み立てると、各種パネルの寸法設定およびその配列方向から明らかなように、図３に示すように、水分線２４を境に前後方向にそれぞれ、全体として連続した下り傾斜面を構成するとともに、この傾斜面下端側に、台形状の傾斜パネル２２と２３、台形状の傾斜パネル２２または２３と三角形状の傾斜パネル２０または２１、そして各三角形状の傾斜パネル１８と１９とがそれぞれ互いにドレーン１２に向けて下り傾斜する合わせ目に対して下方向傾斜するＶ字形の傾斜面を構成する。すなわち、水分線２４を境に１列目から２列目にかけて一定傾斜角の下り傾斜面を形成し、これに連続して３列目から４列目にかけて、第１の補助水分線２５より外側の部分が各補助線２７に沿いドレーン１２に対してＶ字形の下り傾斜面を構成し、同様に第２の補助水分線２６より外側の部分が各補助線２７に沿いドレーン１２に対してＶ字形の下り傾斜面を構成し、同様に第１の補助水分線２５と第２の補助水分線２６との間の部分が各補助線２７に沿いドレーン１２に対してＶ字形の下り傾斜面を構成する。このようなＶ字形の下り傾斜は、三角形状の傾斜パネル１８，１９を例に採ると、これらのパネル１８，１９がそれぞれ一辺からこれに対向する頂点に向けて下方傾斜する形状であり、これらパネル１８，１９同士を互いの斜辺を対応させて組み合わせることにより得られ、他の傾斜パネルの種々の組み合わせについても同様である。
　【００２２】
　なお、このように断熱材１４の各種パネルにより陸屋根１１の水勾配の下地を形成した後、この上に防水シートを敷設することにより防水層を形成する。
　【００２３】
　次に上記実施例における陸屋根構造の水勾配の作用について説明する。図１において、雨水等の水は基本的に陸屋根１１の水分線２４を境に前後方向に下方傾斜の傾斜面に沿って案内され、この傾斜面の下端、すなわち水分線２４から３列目および４列目にかけて設定されて第１、第２の補助水分線２５，２６を境に形成された各Ｖ字形の下り傾斜面により各ドレーン１２に向けて案内される。すなわち、第１の補助水分線２５に対して図中左側に流れてきた水はそこに形成された各補助線２７上に沿ってＶ字形の下り傾斜面により左側のドレーン１２に流し込まれる。また、第２の補助水分線２６よりも図中右側に流れてきた水はそこに形成された各補助線２７上に沿ってＶ字形の下り傾斜面により右側のドレーン１２に流し込まれる。また、第１の補助水分線２６と第２の補助水分線２７との間に流れてきた水はそこに形成された各補助線２７に沿ってＶ字形の下り傾斜面により中央のドレーン１２に流し込まれる。
　【００２４】
　このように、上記実施例によれば、陸屋根１１の断熱層を構成する複数種の傾斜パネルとして、一辺からこれに対向する他の一辺に向けて下方傾斜する平面が矩形をなす２種類の傾斜パネル１６，１７と、一辺からこれに対向する頂点に向けて下方傾斜する平面が直角二等辺三角形をなす４種類の傾斜パネル１８，１９，２０，２１と、長辺からこれに対向する平行な短辺に向けて下方傾斜する平面が台形をなす２種類の傾斜パネル２２，２３とを用い、これらとフラットパネル１５との組み合わせにより、陸屋根１１の水勾配として水分線２４を境に前後方向にそれぞれ下り傾斜面を構成するとともに、それぞれの傾斜面下端側において陸屋根１１の前後方向に沿う第１、第２の補助水分線２５，２６を設定して３地点、すなわち各ドレーン１２の設定地点に向かう連続したＶ字形の下り傾斜面を形成しているので、水を各ドレーン１２に向けてスムーズに導くことができ、特に陸屋根１１全体に亘って同じ高さの部分が連続することがないため、従来のように水が陸屋根の下端縁に筋状に溜まることがなく、果たして確実な排水性を実現することができる。
　【００２５】
　【発明の効果】
　以上説明したように、本発明によれば、複数種の傾斜パネルとして、一辺からこれに対向する他の一辺に向けて下方傾斜する平面が矩形状の
複数種類の
直角二等辺
複数種類の
複数種類の
複数種類の
【図面の簡単な説明】
　【図１】
　本発明の一実施例における陸屋根構造の構成を示す概略平面図
　【図２】
　同陸屋根構造に用いる断熱材の各種パネルを示す概略斜視図
　【図３】
　同陸屋根構造における各種パネルの組み立て状態を示す概略斜視図
　【図４】
　従来の陸屋根構造の構成を示す概略側断面図
　【図５】
　同陸屋根構造の概略平面図
　【図６】
　同陸屋根構造に用いる断熱材の各種パネルを示す概略斜視図
　【図７】
　同陸屋根構造における各種パネルの組み立て状態を示す概略側面図
　【符号の説明】
　１１　陸屋根
　１２　ドレーン
　１３　屋根▲躯▼体
　１４　断熱材
　１５　フラットパネル
　１６　平面が矩形状の傾斜パネル
　１７　平面が矩形状の傾斜パネル
　１８　平面が三角形状の傾斜パネル
　１９　平面が三角形状の傾斜パネル
　２０　平面が三角形状の傾斜パネル
　２１　平面が三角形状の傾斜パネル
　２２　平面が台形状の傾斜パネル
　２３　平面が台形状の傾斜パネル
　２４　水分線
　２５　第１の補助水分線
　２６　第２の補助水分線
　２７　補助線